(57)【要約】【課題】光ビームを受光する受光面への入射状態に対応した補正をしない場合に比べて、光計測の精度を向上させた眼球の光計測装置を提供する。【解決手段】眼球の光計測装置１は、被計測者の眼球１０の前眼房１３に向けて光ビーム２８を照射する光照射系２１と、眼球１０の前眼房１３を通過した光ビーム２８を受光する受光器３５の受光面３５ａを有する受光系２２と、眼球１０と光照射系２１との間に眼球１０の前眼房１３を通過した光ビーム２８の少なくとも一部を受光可能に設けられ、光ビーム２８の入射位置が測定可能な受光器５１の受光面５１ａを有する入射状態測定系２３と、を備える。【選択図】図１
2018068838.tif 000002
【特許請求の範囲】
【請求項１】
被計測者の眼球の前眼房に向けて光ビームを照射する光照射手段と、
前記眼球の前記前眼房を通過した光ビームを受光する第１の受光面を有する受光手段と、
前記眼球と前記受光手段との間に当該眼球の前記前眼房を通過した光ビームの少なくとも一部を受光可能に設けられ、当該光ビームの入射位置が測定可能な第２の受光面を有する測定手段と
を備える眼球の光計測装置。
【請求項２】
前記測定手段が測定した前記第２の受光面への入射位置に基づいて、前記受光手段からの信号出力を前記第１の受光面への入射状態に対応させて補正する補正手段を備えることを特徴とする請求項１に記載の眼球の光計測装置。
【請求項３】
前記測定手段が測定した前記第２の受光面への入射位置に基づいて、前記受光手段の前記第１の受光面への光ビームの入射状態を補正する補正手段を備えることを特徴とする請求項１に記載の眼球の光計測装置。
【請求項４】
前記測定手段は、前記眼球と前記受光手段との間に、当該眼球を通過した光の少なくとも一部を受光可能に設けられ、当該眼球からの光路長が前記第２の受光面と異なる第３の受光面を備えることを特徴とする請求項１に記載の眼球の光計測装置。
【請求項５】
前記測定手段が測定した前記第２の受光面への入射位置及び前記第３の受光面への入射位置に基づいて、前記受光手段からの信号出力を前記第１の受光面への入射位置及び入射角に対応させて補正する補正手段を備えることを特徴とする請求項４に記載の眼球の光計測装置。
【請求項６】
前記測定手段が測定した前記第２の受光面への入射位置及び前記第３の受光面への入射位置に基づいて、前記受光手段の前記第１の受光面への光ビームの入射位置及び入射角を補正する補正手段を備えることを特徴とする請求項４に記載の眼球の光計測装置。
【請求項７】
前記受光手段の前記第１の受光面が、入射位置が測定可能であることを特徴とする請求項１に記載の眼球の光計測装置。
【請求項８】
前記受光手段の前記第１の受光面への入射位置と、前記測定手段の前記第２の受光面への入射位置とに基づいて、当該受光手段からの信号出力を当該第１の受光面への入射位置及び入射角に対応させて補正する補正手段を備えることを特徴とする請求項７に記載の眼球の光計測装置。
【請求項９】
前記受光手段の前記第１の受光面への入射位置と、前記測定手段の前記第２の受光面への入射位置とに基づいて、当該受光手段の当該第１の受光面への光ビームの入射位置及び入射角を補正する補正手段を備えることを特徴とする請求項７に記載の眼球の光計測装置。
【発明の詳細な説明】
【技術分野】
【０００１】
本発明は、眼球の光計測装置に関する。
【背景技術】
【０００２】
特許文献１には、レーザー光を投光する手段と、投光部と同軸上に配置された受光部と、この光軸と所定の距離離れて光軸に平行に配置された鏡とからなり、この鏡がそのほぼ中央に立てた垂線が投光部と受光部を結ぶ直線とそのほぼ中央で交わる向きに配置される事を特徴とする、眼球の所定の部分に光を通す為に使用される眼球測定位置決め用具が記載されている。
【先行技術文献】
【特許文献】
【０００３】
【特許文献１】特開２００２−５７０号公報
【発明の概要】
【発明が解決しようとする課題】
【０００４】
ところで、偏光制御された光ビームを被計測者の眼球に照射し、前眼房を横切って眼球から出てきた光ビームを受光して眼球の光計測を行う場合、被計測者の眼球の状態の変化に伴って光ビームを受光する受光面に対する入射状態が変化すると、光計測の精度が低下する可能性がある。
【０００５】
本発明は、光ビームを受光する受光面への入射状態に対応した補正をしない場合に比べて、光計測の精度を向上させた眼球の光計測装置を提供することを目的とする。
【課題を解決するための手段】
【０００６】
請求項１に記載の発明は、被計測者の眼球の前眼房に向けて光ビームを照射する光照射手段と、前記眼球の前記前眼房を通過した光ビームを受光する第１の受光面を有する受光手段と、前記眼球と前記受光手段との間に当該眼球の前記前眼房を通過した光ビームの少なくとも一部を受光可能に設けられ、当該光ビームの入射位置が測定可能な第２の受光面を有する測定手段とを備える眼球の光計測装置である。
請求項２に記載の発明は、前記測定手段が測定した前記第２の受光面への入射位置に基づいて、前記受光手段からの信号出力を前記第１の受光面への入射状態に対応させて補正する補正手段を備えることを特徴とする請求項１に記載の眼球の光計測装置である。
請求項３に記載の発明は、前記測定手段が測定した前記第２の受光面への入射位置に基づいて、前記受光手段の前記第１の受光面への光ビームの入射状態を補正する補正手段を備えることを特徴とする請求項１に記載の眼球の光計測装置である。
請求項４に記載の発明は、前記測定手段は、前記眼球と前記受光手段との間に、当該眼球を通過した光の少なくとも一部を受光可能に設けられ、当該眼球からの光路長が前記第２の受光面と異なる第３の受光面を備えることを特徴とする請求項１に記載の眼球の光計測装置である。
請求項５に記載の発明は、前記測定手段が測定した前記第２の受光面への入射位置及び前記第３の受光面への入射位置に基づいて、前記受光手段からの信号出力を前記第１の受光面への入射位置及び入射角に対応させて補正する補正手段を備えることを特徴とする請求項４に記載の眼球の光計測装置である。
請求項６に記載の発明は、前記測定手段が測定した前記第２の受光面への入射位置及び前記第３の受光面への入射位置に基づいて、前記受光手段の前記第１の受光面への光ビームの入射位置及び入射角を補正する補正手段を備えることを特徴とする請求項４に記載の眼球の光計測装置である。
請求項７に記載の発明は、前記受光手段の前記第１の受光面が、入射位置が測定可能であることを特徴とする請求項１に記載の眼球の光計測装置である。
請求項８に記載の発明は、前記受光手段の前記第１の受光面への入射位置と、前記測定手段の前記第２の受光面への入射位置とに基づいて、当該受光手段からの信号出力を当該第１の受光面への入射位置及び入射角に対応させて補正する補正手段を備えることを特徴とする請求項７に記載の眼球の光計測装置である。
請求項９に記載の発明は、前記受光手段の前記第１の受光面への入射位置と、前記測定手段の前記第２の受光面への入射位置とに基づいて、当該受光手段の当該第１の受光面への光ビームの入射位置及び入射角を補正する補正手段を備えることを特徴とする請求項７に記載の眼球の光計測装置である。
【発明の効果】
【０００７】
請求項１の発明によれば、受光面への入射状態に対応した補正をしない場合に比べて、光計測の精度が向上する。
請求項２の発明によれば、信号出力の補正しない場合に比べて、光学系を調整する手段を要しない。
請求項３の発明によれば、光ビームの入射状態を補正しない場合に比べて、第１の受光面の受光感度の面内ばらつきを考慮することを要しない。
請求項４の発明によれば、第３の受光面を備えない場合に比べて、光ビームの入射角に関する情報が容易に得られる。
請求項５、６の発明によれば、入射角に対応させないで補正する場合に比べて、光計測の精度がより向上する。
請求項７の発明によれば、第１の受光面が入射位置を測定可能でない場合に比べて、計測手段が備える受光面の数が減る。
請求項８、９の発明によれば、第１の受光面が入射位置を測定可能でない場合に比べて、第１の受光面への入射位置の測定精度が向上する。
【図面の簡単な説明】
【０００８】
【図１】第１の実施の形態が適用される光計測装置の構成の一例を示す図である。
【図２】光計測装置によって、前眼房における眼房水に含まれる光学活性物質による偏光面の回転角（旋光度）を計測する方法を説明する図である。
【図３】入射状態測定系を備えない場合における、眼球の前眼房を通過した光ビームの受光器への入射状態を説明する図である。
【図４】第１の実施の形態における入射状態測定系を説明する図である。（ａ）は、想定した光路を通過する光ビームを説明する図、（ｂ）は、想定した光路を外れた光ビームを説明する図、（ｃ）は、入射状態を測定する方法を説明する図である。
【図５】受光器の出力信号を補正するためのルックアップテーブルの一例である。（ａ）は、入射位置に対する補正値のルックアップテーブル、（ｂ）は、入射角に対する補正値のルックアップテーブルである。
【図６】入射状態測定系の変形例を説明する図である。（ａ）は、第１の実施の形態が適用される入射状態測定系、（ｂ）は、変形例、（ｃ）は、他の変形例である。
【図７】入射位置を測定する入射状態測定系を説明する図である。（ａ）は、ビームスプリッタを用いた入射状態測定系、（ｂ）は、ミラーを用いた入射状態測定系である。
【図８】第２の実施の形態が適用される眼球の光計測装置を説明する図である。
【発明を実施するための形態】
【０００９】
以下、添付図面を参照して、本発明の実施の形態について説明する。なお、添付図面では、眼球と光路との関係を明らかにするため、眼球を他の部材（後述する光学系など）に比べ大きく表記している。以下では、眼球の光計測装置を光計測装置と表記する。
【００１０】
［第１の実施の形態］
＜光計測装置１＞
図１は、第１の実施の形態が適用される光計測装置１の構成の一例を示す図である。光計測装置１は、被計測者（被験者）の顔に押し当てるように配置され、眼球１０の前眼房１３を横切るように光ビーム２８を通過（透過）させることで、眼球１０の前眼房１３における眼房水を光計測する。なお、図１に示す眼球１０は右目である。
【００１１】
この光計測装置１は、被計測者の眼球１０の前眼房１３内の眼房水の光計測に用いる光学系２０、光学系２０を制御する制御部６０及び光学系２０を用いて光計測された計測データに基づいて眼房水の特性を算出する算出部７０を備える。
そして、制御部６０には、光学系２０における受光器３５の受光面３５ａへの光ビーム２８の入射状態に対応して受光器３５からの信号出力（計測データ）を補正する補正ユニット６１を備える。
ここで、受光器３５の受光面３５ａは、第１の受光面の一例、補正ユニット６１は、補正手段の一例である。
なお、光計測装置１は、光学系２０などを保持する保持部を備えるが、保持部についての記載を省略する。保持部は、光学系２０に加えて、制御部６０及び算出部７０のすべて又はこれらの一部を保持してもよい。
【００１２】
（眼球１０）
まず、眼球１０を説明する。
図１に示すように眼球１０は、外形がほぼ球形であって、中央にガラス体１１がある。そして、レンズの役割をする水晶体１２が、ガラス体１１の一部に埋め込まれている。水晶体１２の外側に、前眼房１３があり、その外側に角膜１４がある。水晶体１２の周辺部は虹彩に囲まれ、その中心が瞳孔１５である。水晶体１２に接する部分を除いて、ガラス体１１は、網膜１６で覆われている。
すなわち、前眼房１３は、角膜１４と水晶体１２とで囲まれた領域であって、球形から凸状に飛び出している。そして、前眼房１３は、眼房水で満たされている。
【００１３】
図１に示すように、被計測者の上下方向を上側を正とするｘ方向、眼球１０から出射した光ビーム２８が進む方向を正とするｚ方向、ｘ方向及びｚ方向と直交し、被計測者から離れる方向を正とするｙ方向とする。
【００１４】
第１の実施の形態が適用される光計測装置１が光計測する眼房水の特性とは、眼房水に含まれる光学活性物質による直線偏光の振動方向（偏光面）の回転角（旋光度αＭ）、円偏光に対する吸色度（円二色性）などをいう。なお、本明細書では、直線偏光の偏光面とは、直線偏光において電界が振動する面をいう。
以下では、一例として、眼房水に含まれる光学活性物質による直線偏光の偏光面の回転角（旋光度αＭ）から、光学活性物質の濃度を算出するとして説明する。
【００１５】
（光学系２０）
光学系２０は、眼球１０の前眼房１３に光ビーム２８を照射する光照射系２１、前眼房１３を通過した光を受光する受光系２２及び入射状態測定系２３を備える。
ここで、光照射系２１は、光照射手段の一例、受光系２２は、受光手段の一例、及び、入射状態測定系２３は、測定手段の一例である。
【００１６】
光照射系２１は、光源２５、偏光子２７、ミラー２９を備える。
光源２５は、ビーム状の光（光ビーム２８）を眼球１０の前眼房１３に向けて照射する。光源２５は、レーザのような波長幅が狭い光源であってもよく、発光ダイオード（ＬＥＤ）やランプのような波長幅が広い光源であってもよい。また、ＬＥＤ、ランプ又はレーザを複数備えていてもよい。なお、波長幅は、狭い方がよい。そして、複数の波長を使用することがよい。
偏光子２７は、例えば、ニコルプリズム、全反射型のグラントムソンプリズム、グランテーラプリズム、グランレーザプリズムなどであって、光源２５が出射したランダムな偏光面を持つ光ビームから、予め定められた偏光面の直線偏光を通過させる。
ミラー２９は、偏光子２７を通過した光ビームを反射させ、光路を折り曲げる。
【００１７】
受光系２２は、補償子３１、検光子３３、受光器３５を備える。受光系２２では、光路を折り曲げるミラーを用いていない。
補償子３１は、例えばガーネット等を用いたファラデー回転子などの磁気光学素子であって、磁場によって直線偏光の偏光面を回転させる。
検光子３３は、偏光子２７と同様の部材であって、通過する光ビーム２８の予め定められた偏光面の直線偏光を通過させる。
受光器３５は、シリコンダイオードなどで構成された受光面３５ａを有する受光素子（フォトディテクタ）であって、受光した光ビーム２８の強度に対応した出力信号（電圧信号）を出力する。受光器３５の受光面３５ａは、１０ｍｍ×１０ｍｍなどであって、受光する光ビーム２８の径に比べて大きいとする。つまり、受光器３５における受光面３５ａの一部に光ビーム２８が入射する。
そして、受光器３５は、感度を重視した受光素子であって、光ビーム２８の入射位置を検出（測定）する機能を有しないとする。
【００１８】
入射状態測定系２３は、光ビーム２８を分割するビームスプリッタ４１、４２及びビームスプリッタ４１、４２により分割された光ビーム２８を受光する受光器５１、５２を備える。なお、受光器５１、５２は、それぞれ受光面５１ａ、５２ａを有する。
ビームスプリッタ４１、４２は、一つの光ビームを複数の光ビームに分割する。ビームスプリッタ４１、４２は、光学薄膜を介して二つの直角プリズムの斜面同士を接合したキューブ型でもよく、一方の面に、光学薄膜を設けたプレート型であってもよい。ビームスプリッタ４１、４２は、通過する光ビームの偏光状態に影響を与えないものがよい。なお、ビームスプリッタ４１、４２が光ビームを分割する比率は、１：１でなくてもよい。
受光器５１、５２は、受光面５１ａ、５２ａにおける入射する光ビームの入射位置が識別されるものであればよい。受光器５１、５２は、例えばＣＣＤ、ＣＭＯＳなどの撮像素子であって、二次元に配列された複数の受光セル（画素）を有する。よって、受光器５１、５２では、それぞれの受光面５１ａ、５２ａにおいて、光ビームの入射位置が入射した受光セルの位置（座標）により検出される。
【００１９】
光学系２０における光ビーム２８の光路の概要を説明する。なお、入射状態測定系２３における光路については、後述する。
光源２５から眼球１０の前眼房１３に向けて照射された光ビーム２８は、偏光子２７を通過し、ミラー２９で折り曲げられて、眼球１０の前眼房１３を横切るように通過する。
眼球１０の前眼房１３を透過した光ビーム２８は、入射状態測定系２３のビームスプリッタ４１により分割される。ビームスプリッタ４１で分割された一方の光ビーム２８は、受光系２２における補償子３１、検光子３３を通過して、受光器３５に入射する。
【００２０】
（制御部６０）
制御部６０は、ＣＰＵ（中央演算処理装置）、ＲＡＭ（ランダムアクセスメモリ）、ＲＯＭ（読み出し専用メモリ）、ＨＤＤ（ハードディスクドライブ）、Ｉ／Ｏポート（入出力ポート）などを備えたコンピュータとして構成され、ソフトウェアにより動作するものであってもよく、アナログ電子回路などのハードウェアで構成されていてもよい。
そして、制御部６０は、光学系２０における光源２５、補償子３１、受光器３５などを制御する。また、制御部６０は、計測に用いた光ビームの波長λ、補償子３１の回転角、受光器３５から取得した出力信号などの計測データを、算出部７０に出力する。
なお、制御部６０における補正ユニット６１は、入射状態測定系２３で測定された受光系２２における受光器３５の受光面３５ａへの光ビーム２８の入射状態に対応して、受光器３５の出力信号（電圧信号）を補正する。補正については、後述する。
【００２１】
（算出部７０）
算出部７０は、制御部６０と同様に構成されている。そして、制御部６０から取得した計測データに基づいて、眼房水の特性を算出する。
なお、制御部６０が、算出部７０を兼ねてもよい。
【００２２】
＜眼房水の光計測＞
次に、光計測装置１を用いて、前眼房１３における眼房水に含まれる光学活性物質の濃度を算出する例を説明する。ここでは、光学活性物質として、グルコース濃度を算出するとする。
【００２３】
（眼房水のグルコース濃度を測定する背景）
まず、眼房水のグルコース濃度を測定する背景について説明する。
インスリン治療を必要とする１型糖尿病患者、２型糖尿病患者（被計測者）には、自己血糖測定が推奨されている。自己血糖測定では、血糖コントロールを精緻に行うために、家庭などにおいて被計測者自身で自己の血糖値を測定する。
現在流通している自己血糖測定器は、指先などを注射針で穿刺し、微量の血液を採取して、血液中のグルコース濃度を測定する。自己血糖測定は、毎食後や就寝前等での測定が推奨されることが多く、一日に１回から数回行うことが求められる。特に、強化インスリン治療では、さらに多数回の測定が必要とされている。
このため、穿刺式の自己血糖測定器を用いた侵襲式の血糖値測定法は、血液を採取する時（採血時）の痛みによる苦痛から、被計測者の自己血糖測定に対するインセンティブ低下を招きやすい。このため、効率的な糖尿病治療が困難となる場合がある。
【００２４】
そこで、穿刺などの侵襲式の血糖値測定法に代わる、穿刺を必要としない非侵襲式の血糖値測定法の開発が進められている。
非侵襲式の血糖値測定法として、近赤外分光法、光音響分光法、旋光性を利用する方法などが検討されている。なお、これらの方法では、グルコース濃度から血糖値を推測する。
近赤外分光法や光音響分光法は、指の血管内の血液における光吸収スペクトルや音響振動を検出する。しかし、血液中には赤血球、白血球などの細胞物質が存在する。このため、光散乱の影響を大きく受ける。さらに、血管内の血液の他に周囲の組織の影響も受ける。よって、これらの方法は、タンパク質、アミノ酸等、莫大な数の物質が関与する信号からグルコース濃度に関する信号を検出することを必要とし、信号の分離が難しい。
【００２５】
一方、前眼房１３における眼房水は、血清とほぼ同じ成分であって、タンパク質、グルコース、アスコルビン酸等を含んでいる。しかし、眼房水は、血液と異なり、赤血球、白血球などの細胞物質を含まず、光散乱の影響が小さい。よって、眼房水は、グルコース濃度の光学的な測定に適している。
そして、眼房水に含まれるタンパク質、グルコース、アスコルビン酸等は光学活性物質であって、旋光性を有している。
そこで、第１の実施の形態が適用される光計測装置１は、この眼房水から、旋光性を利用してグルコースを含む光学活性物質の濃度を光学的に計測する。
なお、眼房水は、グルコースを輸送するための組織液であることから、眼房水のグルコース濃度は、血液中のグルコース濃度と相関すると考えられている。そして、ウサギを用いた測定において、血液から眼房水へのグルコースの輸送にかかる時間（輸送遅延時間）は、１０分以内であると報告されている。
【００２６】
（光路の設定）
さて、眼房水に含まれるグルコースなどの光学活性物質の濃度を光学的に計測する手法において、設定することのできる光路は以下の２つである。
１つは、図１に示す第１の実施の形態と異なり、眼球１０に対して垂直に近い角度、すなわち前後方向に沿って光を入射させ、角膜１４と眼房水との界面又は眼房水と水晶体１２との界面で光を反射させ、反射した光を受光（検出）する光路である。もう１つは、図１に示す第１の実施の形態のように、前後方向と交差する角度、具体的には眼球１０に対して平行に近い角度で光を入射させ、前眼房１３を横切るように通過した光を受光（検出）する光路である。
【００２７】
前者のように、眼球１０に対して垂直に近い角度で光を入射させる光路は、網膜１６に光が達するおそれがある。特に、光源２５に、コヒーレント性が高いレーザを用いる場合、網膜１６にエネルギ密度の高い光が到達して、照射される時間の長さによっては網膜１６に悪影響を与える可能性がある。
【００２８】
これに対し、後者のように、眼球１０に対して平行に近い角度で光を入射させる光路では、角膜１４を通して前眼房１３を横切るように光を通過させ、眼房水を通過した光を受光（検出）する。このため、光が網膜１６に達することが抑制される。
光学活性物質による偏光面の回転角（旋光度）は、光路長に依存し、光路長が長いほど旋光度が大きい。よって、前眼房１３を横切るように光を通過させることで、光路長が長く設定される。
【００２９】
（光学活性物質の濃度算出）
図２は、光計測装置１によって、前眼房１３における眼房水に含まれる光学活性物質による偏光面の回転角（旋光度）を計測する方法を説明する図である。ここでは、説明を容易にするため、光ビーム２８を折り曲げない構成とし、ミラー２９の記載を省略している。
また、光学活性物質の濃度算出を説明するために、入射状態測定系２３の記載を省略している。
また、図２に示す光源２５、偏光子２７、前眼房１３、補償子３１、検光子３３及び受光器３５のそれぞれの間において、光の進行方向から見た偏光の様子を円内の矢印で示している。
【００３０】
光源２５は、ランダムな偏光面を持つ光を出射する。そして、偏光子２７は、予め定められた偏光面の直線偏光を通過させる。図２においては、一例として、紙面に平行な偏光面の直線偏光が通過する。
偏光子２７を通過した直線偏光は、前眼房１３における眼房水に含まれる光学活性物質により、偏光面が回転する。図２では、偏光面は角度αＭ（旋光度αＭ）回転する。
【００３１】
次に、前眼房１３における眼房水に含まれる光学活性物質により回転した偏光面を、補償子３１により元に戻す。補償子３１がファラデー素子などの磁気光学素子である場合には、補償子３１に磁界を印加することで、補償子３１を通過する光ビーム２８の偏光面が回転する。
そして、受光器３５は、検光子３３を通過した直線偏光を受光し、光ビーム２８の強度に対応した出力信号（出力電圧）に変換する。
なお、出力信号（出力電圧）は、入射状態測定系２３で測定された受光系２２における受光器３５の受光面３５ａへの光ビーム２８の入射状態に基づいて、制御部６０における補正ユニット６１により補正される。
【００３２】
ここで、光学系２０による旋光度αＭの計測方法の一例を説明する。
まず、光源２５から照射された光ビーム２８が前眼房１３を通過させない状態において、光源２５、偏光子２７、補償子３１、検光子３３及び受光器３５を含む光学系２０を用いながら、受光器３５からの出力信号（出力電圧）が最小になるよう、補償子３１及び検光子３３を設定する。図２に示す例では、光ビーム２８が前眼房１３を通過しない状態では、偏光子２７を通過した直線偏光の偏光面は、検光子３３を通過する偏光面と直交する。
【００３３】
次に、光ビーム２８が前眼房１３を横切るように通過する状態にする。すると、前眼房１３における眼房水に含まれる光学活性物質によって、光ビーム２８の偏光面が回転する。このため、受光器３５からの出力信号（出力電圧）は、最小値から外れる。そこで、受光器３５からの出力信号が最小になるように、補償子３１に磁界を印加して偏光面を回転させる。すなわち、補償子３１から出射する光ビーム２８の偏光面を、検光子３３を通過する偏光面と直交させる。
この補償子３１によって回転させた偏光面の角度が、眼房水に含まれる光学活性物質によって発生した旋光度αＭに対応する。ここで、補償子３１に印加した磁場の大きさと回転した偏光面の角度との関係は、事前に知られている。したがって、補償子３１に印加した磁場の大きさから、旋光度αＭが分かる。
【００３４】
具体的には、光源２５から前眼房１３における眼房水に複数の波長λ（波長λ１、λ２、λ３、…）の光ビーム２８を入射し、それぞれに対して旋光度αＭ（旋光度αＭ１、αＭ２、αＭ３、…）を求める。これらの波長λと旋光度αＭとの組が、算出部７０に取り込まれ、求めたい光学活性物質の濃度が算出される。
なお、算出部７０により算出された光学活性物質の濃度は、光計測装置１が備える表示手段（不図示）に表示されてもよいし、光計測装置１が備える出力手段（不図示）を介してＰＣ（Personal Computer）などの他の端末装置（不図示）に出力されてもよい。
【００３５】
付言すると、眼房水には、前述したように複数の光学活性物質が含まれている。よって、計測された旋光度αＭは、複数の光学活性物質それぞれによる旋光度αＭの和である。そこで、計測された旋光度αＭから、求めたい光学活性物質（ここでは、グルコース）の濃度を算出することが必要となる。求めたい光学活性物質の濃度の算出は、例えば、特開平０９-１３８２３１号公報に開示されているような公知の方法を用いればよいので、ここでは説明を省略する。
【００３６】
また、図２では、偏光子２７の偏光面と検光子３３を通過する前の偏光面とが共に、紙面に平行であるとしている。しかし、光源２５を出射した光が前眼房１３を通過させない状態において、補償子３１によって偏光面が回転する場合には、検光子３３を通過する前の偏光面が紙面に平行な面から傾いていてもよい。すなわち、光が前眼房１３における眼房水を通過させない状態において、受光器３５からの出力信号（信号電圧）が最小になるように、補償子３１と検光子３３とを設定すればよい。
【００３７】
また、ここでは旋光度αＭを求める方法として補償子３１を用いた例を述べたが、補償子３１以外で旋光度αＭを求めてもよい。さらに、ここでは偏光面の回転角（旋光度αＭ）を測定する最も基本的な測定法である直交偏光子法（ただし補償子３１を使用）について示したが、回転検光子法やファラデー変調法、光学遅延変調法といった他の測定方法を適用してもよい。
【００３８】
（眼球１０と受光器３５との関係）
次に、眼球１０と受光器３５との関係を説明する。
図３は、入射状態測定系２３を備えない場合における、眼球１０の前眼房１３を通過した光ビーム２８の受光器３５への入射状態を説明する図である。図３には、光ビーム２８の一例として、光ビーム２８Ｉと光ビーム２８ＩＩとを示している。なお、これらを区別しない場合は、光ビーム２８と表記する。なお、図３は、図１を紙面内において１８０°回転させて示している。
光ビーム２８Ｉは、光学系２０を設定した際に想定した光路を通過する光ビームであって、受光器３５の受光面３５ａには、ｘｙ座標（ｘＩ、ｙＩ）で表される位置（座標位置）に角度θＩで入射する（図３では、座標（ｘＩ、ｙＩ、θＩ）と表記する。）。これに対して、光ビーム２８ＩＩは、光ビーム２８Ｉが通過する光路（想定した光路）から外れた光路を通過する光ビームであって、受光面３５ａには、ｘｙ座標（ｘＩＩ、ｙＩＩ）で表される位置（座標位置）に角度θＩＩで入射する（図３では、座標（ｘＩＩ、ｙＩＩ、θＩＩ）と表記する。）。
【００３９】
光ビーム２８が光学系２０を設定した際に想定した光路（光ビーム２８Ｉが通過する光路）から外れた光路（光ビーム２８ＩＩが通過する光路）になるのは、被計測者の呼吸や脈動などの生体振動や角膜１４の状態変化によって、光路が変動するためである。
なお、図３では、光ビーム２８Ｉと光ビーム２８ＩＩとは、それらが出射する角膜１４の位置が同じであって、角膜１４の状態変化によって変動したように記載されているが、光ビーム２８が角膜１４に入射する位置や、入射位置における角膜１４の状態によっても、その光路は変動する。
【００４０】
受光器３５は、受光面３５ａにおいて光ビーム２８が入射する座標位置によって、出力信号（出力電圧）が異なる。すなわち、受光器３５の受光面３５ａは、受光面３５ａ内において受光感度にばらつき（面内分布）を有している。また、受光面３５ａにおける反射率は、入射角に依存する。なお、受光面３５ａにおける反射率とは、シリコンダイオードなどの受光素子の表面の反射率のみならず、受光素子の表面を覆うガラス板などの保護部材の表面及び裏面における反射率を含む。
よって、受光器３５の出力信号（出力電圧）をそのまま前眼房１３内の眼房水の特性の算出に用いると、計測の精度が損なわれる。
そこで、第１の実施の形態では、受光器３５の受光面３５ａに入射する光ビーム２８の入射状態（入射位置、入射角）を測定し、受光器３５の出力信号（出力電圧）を入射状態に対応して補正することで、被計測者の眼球１０の前眼房１３内の眼房水に関する計測の精度を向上させている。
【００４１】
図４は、第１の実施の形態における入射状態測定系２３を説明する図である。図４（ａ）は、想定した光路を通過する光ビーム２８Ｉを説明する図、図４（ｂ）は、想定した光路を外れた光ビーム２８ＩＩを説明する図、図４（ｃ）は、入射状態を測定する方法を説明する図である。
図４（ｃ）は、眼球１０の角膜１４上における光ビーム２８（光ビーム２８Ｉ、２８ＩＩ）の出射点であるＡ点と受光器３５における受光面３５ａの中心であるＯ点とを結ぶ方向をｚ方向としたｘｙｚ座標で表す。なお、受光器３５の受光面３５ａをｚ＝０としている。また、ｘｙｚ座標に加えて、ｘｙ平面に対する入射角θを含めた座標（ｘ、ｙ、ｚ、θ）で表記する。
ここでは、入射状態測定系２３を説明するために、眼球１０、入射状態測定系２３及び受光系２２における受光器３５を示し、他の構成の記載を省略している。
【００４２】
前述したように、入射状態測定系２３は、ビームスプリッタ４１、４２及び受光器５１、５２を備える。
まず、光学系２０を設定した際に想定した光路を通過する光ビーム２８Ｉについて説明する。以下において、光ビーム２８Ｉが通る光路毎に符号（−０、−１など）を付して説明する。
【００４３】
図４（ａ）に示すように、眼球１０の角膜１４におけるＡ点から光ビーム２８Ｉ−０が、出射するとする。
光ビーム２８Ｉ−０は、ビームスプリッタ４１により、ビームスプリッタ４１の反射面で反射される光ビーム２８Ｉ−１とこの反射面を通過する光ビーム２８Ｉ−２とに分割される。光ビーム２８Ｉ−２は、受光器３５における受光面３５ａの中央のＯ点に、受光角θＩが０°で入射するとする。受光器３５の中央のＯ点は、ｘｙｚ座標において（０、０、０）である。つまり、ｘＩ＝０、ｙＩ＝０、ｚＩ＝０である。よって、光ビーム２８Ｉ−２は、図４（ｃ）におけるＯ点（座標（（ｘ、ｙ、ｚ、θ）＝（０、０、０、０）））に入射する。
そして、ビームスプリッタ４１の反射面は、光ビーム２８Ｉ−０に対して４５°に設定されているとする。すると、光ビーム２８Ｉ−１は、光ビーム２８Ｉ−０に対して９０°に折り曲げられる。
【００４４】
次に、光ビーム２８Ｉ−１は、ビームスプリッタ４２により、ビームスプリッタ４２の反射面で反射される光ビーム２８Ｉ−１１とこの反射面を通過する光ビーム２８Ｉ−１２とに分割される。
ビームスプリッタ４２の反射面は、光ビーム２８Ｉ−１に対して４５°に設定されているとする。すると、光ビーム２８Ｉ−１１は、光ビーム２８Ｉ−１に対して９０°に折り曲げられる。
【００４５】
光ビーム２８Ｉ−１１は、受光器５１における受光面５１ａの中央のＯ′点に、入射角θＣ１が０°で受光されるとする。ここで、受光面５１ａをｘ′ｙ′座標で表記する。なお、ｘ′軸はｘ軸に平行であり、ｙ′軸はｙ軸に平行である。そして、中央のＯ′点は、ｘ′ｙ′座標において（０、０）である。
この場合、Ａ点から受光器５１の中央のＯ′点までの光路（光ビーム２８Ｉ−０、光ビーム２８Ｉ−１、光ビーム２８Ｉ−１１のそれぞれの光路）を、反射面で反射させないで順にｚ軸上に重ねるとともに、ｘ′ｙ′座標がｘｙ座標に重なるように受光器５１をシフトすると、光ビーム２８Ｉ−１１は、図４（ｃ）におけるＯ′点（座標（（ｘ、ｙ、ｚ、θ）＝（０、０、ＺＣ１、０））に入射することになる。なお、ＺＣ１は、Ａ点から受光面５１ａの中央のＯ′点までの光路長（光ビーム２８Ｉ−０、光ビーム２８Ｉ−１、光ビーム２８Ｉ−１１のそれぞれの光路長の和）を、ＡＯ間の距離から差し引いた値である。なお、ｚ＝ＺＣ１は、受光面５１ａの位置に相当する。
【００４６】
同様に、光ビーム２８Ｉ−１２は、受光器５２における受光面５２ａの中央のＯ″点に、入射角θＣ２が０°で入射するとする。ここで、受光面５２ａをｘ″ｙ″座標で表記する。なお、ｘ″軸はｘ軸に平行であり、ｙ″軸はｙ軸に平行である。そして、中央のＯ″点は、ｘ″ｙ″座標において（０、０）である。
この場合、Ａ点から受光器５２の中央のＯ″点までの光路（光ビーム２８Ｉ−０、光ビーム２８Ｉ−１、光ビーム２８Ｉ−１２のそれぞれの光路）を、反射面で反射させないで順にｚ軸上に重ねるとともに、ｘ″ｙ″座標をｘｙ座標に重なるように受光器５２をシフトすると、光ビーム２８Ｉ−１２は、図４（ｃ）におけるＯ″点（座標（（ｘ、ｙ、ｚ、θ）＝（０、０、ＺＣ２、０）））に入射することになる。なお、ＺＣ２は、Ａ点から受光面５２ａの中央のＯ″点までの光路長（光ビーム２８Ｉ−０、光ビーム２８Ｉ−１、光ビーム２８Ｉ−１２のそれぞれの光路長の和）を、ＡＯ間の距離から差し引いた値である。なお、ｚ＝ＺＣ２は、受光面５２ａの位置に相当する。
【００４７】
次に、図４（ｂ）によって、想定した光路から外れた光路を通過する光ビーム２８ＩＩについて説明する。以下においても、光ビーム２８ＩＩが通る光路毎に符号（−０、−１など）を付して説明する。
図４（ｂ）に示すように、光ビーム２８ＩＩ−０は、眼球１０の角膜１４におけるＡ点から出射するとする。なお、光ビーム２８ＩＩ−０は、光ビーム２８Ｉ−０と異なる方向に進む。
光ビーム２８ＩＩ−０は、ビームスプリッタ４１により、ビームスプリッタ４１の反射面で反射された光ビーム２８ＩＩ−１とこの反射面を通過した光ビーム２８ＩＩ−２とに分割される。
光ビーム２８ＩＩ−０は、ビームスプリッタ４１の反射面に対して４５°で入射しないので、光ビーム２８ＩＩ−１は、ビームスプリッタ４１の反射面への入射角に対応した反射角の方向に進む。
一方、光ビーム２８ＩＩ−２は、受光器３５における受光面３５ａのＢ点に、入射角θＩＩで入射する。Ｂ点は、ｘｙｚ座標において、（ｘＩＩ、ｙＩＩ、ｚＩＩ）である。なお、ｚ１１は、０である。すなわち、光ビーム２８ＩＩ−２は、図４（ｃ）におけるＢ点（座標（（ｘ、ｙ、ｚ、θ）＝（ｘＩＩ、ｙＩＩ、０、θＩＩ）））に入射することになる。
【００４８】
次に、光ビーム２８ＩＩ−１は、ビームスプリッタ４２により、ビームスプリッタ４２の反射面で反射される光ビーム２８ＩＩ−１１とこの反射面を通過する光ビーム２８ＩＩ−１２とに分割される。
光ビーム２８ＩＩ−１は、ビームスプリッタ４２の反射面に対して４５°で入射しないので、光ビーム２８ＩＩ−１１は、ビームスプリッタ４２の反射面への入射角に対応した反射角の方向に進む。そして、受光器５１における受光面５１ａのＣ１点に入射角θＣ１で入射する。なお、Ｃ１点は、ｘ′ｙ′座標において、（ｘＣ１、ｙＣ１）である。
この場合、Ａ点から受光器５１のＣ１点までの光路（光ビーム２８ＩＩ−０、光ビーム２８ＩＩ−１、光ビーム２８ＩＩ−１１のそれぞれの光路）を、反射面で反射させないで順にｚ軸上に重ねるとともに、ｘ′ｙ′座標がｘｙ座標に重なるように受光器５１をシフトすると、図４（ｃ）に示すように、光ビーム２８ＩＩ−１１は、図４（ｃ）におけるＣ１点（座標（（ｘ、ｙ、ｚ、θ）＝（ｘＣ１、ｙＣ１、ＺＣ１、θＣ１）））に入射する。
【００４９】
同様に、光ビーム２８ＩＩ−１２は、受光器５２のＣ２点に入射角θＣ２で入射する。なお、Ｃ２点は、ｘ″ｙ″座標において、（ｘＣ２、ｙＣ２）である。
この場合、Ａ点から受光器５２における受光面５２ａのＣ２点までの光路（光ビーム２８ＩＩ−０、光ビーム２８ＩＩ−１、光ビーム２８ＩＩ−１２のそれぞれの光路）を、反射面で反射させないで順にｚ軸上に重ねるとともに、ｘ″ｙ″座標がｘｙ座標に重なるように受光器５２をシフトすると、光ビーム２８ＩＩ−１２は、図４（ｃ）におけるＣ２点（座標（（ｘ、ｙ、ｚ、θ）＝（ｘＣ２、ｙＣ２、ＺＣ２、θＣ２）））に入射することになる。
【００５０】
なお、光ビーム２８ＩＩに対するビームスプリッタ４１、４２と空気との界面における屈折を無視している。Ｂ点の座標から、ビームスプリッタ４１、４２と空気との界面における屈折の影響が求められる。よって、屈折を考慮して、光路を求めればよい。
【００５１】
次に、受光器３５における光ビーム２８ＩＩの受光器３５における受光面３５ａのｘｙｚ座標（ｘＩＩ、ｙＩＩ、０）及び受光器３５における受光面３５ａに対する入射角θＩＩを算出する方法を説明する。
Ａ点は、眼球１０の角膜１４における光ビーム２８ＩＩの出射点である。しかし、Ａ点は、固定されていないために不明である。一方、受光器５１、５２は、ＣＣＤ、ＣＭＯＳなどの撮像素子であって、二次元に配列された複数の受光セル（画素）から構成される受光面５１ａ、５２ａを有する。よって、受光面５１ａ、５２ｂにより、光ビーム２８ＩＩが入射するｘｙ座標が測定される。そして、光ビーム２８ＩＩ（光ビーム２８ＩＩ−１１）が受光面５１ａに入射するＣ１点（ｘＣ１、ｙＣ１）と、光ビーム２８ＩＩ（光ビーム２８ＩＩ−１２）が受光面５２ａに入射するＣ２点（ｘＣ２、ｙＣ２）は、測定される。そして、受光面３５ａがｚ＝０、受光面５１ａがｚ＝ＺＣ１、受光面５２ａがｚ＝ＺＣ２に設けられている。
よって、光ビーム２８ＩＩに対するｘｙｚ座標（ｘＣ１、ｙＣ１、ＺＣ１）とｘｙｚ座標（ｘＣ２、ｙＣ２、ＺＣ２）とから、受光器３５の受光面３５ａが光ビーム２８ＩＩが入射するｘｙ座標（ｘＩＩ、ｙＩＩ）及び受光面３５ａに対する入射角θＩＩが算出される。
そこで、受光面３５ａのｘｙ座標（ｘＩＩ、ｙＩＩ）及び受光面３５ａに対する入射角θＩＩに基づいて、受光器３５からの出力信号（信号電圧）を補正すればよい。
【００５２】
図５は、受光器３５の出力信号を補正するためのルックアップテーブルの一例である。図５（ａ）は、入射位置（ｘ、ｙ）に対する補正値ｋ（ｘ、ｙ）のルックアップテーブル、図５（ｂ）は、入射角θに対する補正値ｍ（θ）のルックアップテーブルである。
入射位置（ｘ、ｙ）に対する補正値ｋ（ｘ、ｙ）は、受光器３５の受光面３５ａに垂直に光が入射した場合における受光面内の感度分布を反映した値である。よって、入射位置（ｘ、ｙ）に対する補正値ｋ（ｘ、ｙ）は、入射角θに依存しないとしている。図５（ａ）では、補正値ｋ（ｘ、ｙ）をｘに対する値であるｘ１、ｘ２、…、ｘｎ、…を横に、ｙに対する値であるｙ１、ｙ２、…、ｙｍ、…を縦に配列したマトリクスで示している。ここで、ｎ、ｍは、１以上の整数である。
【００５３】
入射角θに対する補正値ｍ（θ）は、受光器３５の受光面３５ａの入射角θに対する反射係数である。図５（ｂ）には、θに対するθ１、θ２、…、θｌ、…を横に配列している。ここで、ｌは、１以上の整数である。反射係数は、受光器３５における受光面３５ａの入射位置（ｘ、ｙ）に依存しないとしている。よって、入射角θに対する補正値ｍ（θ）は、入射角θの関数であるとしている。
そして、入射位置（ｘ、ｙ）に対する補正値ｋ（ｘ、ｙ）のルックアップテーブル及び入射角θに対する補正値ｍ（θ）のルックアップテーブルは、例えば、制御部６０に設けられた補正ユニット６１に格納されている。
【００５４】
補正ユニット６１は、図５（ａ）に示すルックアップテーブルから受光器３５における受光面３５ａの入射位置（ｘＩＩ、ｙＩＩ）に対応する補正値ｋ（ｘＩＩ、ｙＩＩ）を求める。また、図５（ｂ）に示すルックアップテーブルから入射角θＩＩに対応する補正値ｍ（θＩＩ）を求める。なお、図５（ａ）のルックアップテーブルにｘＩＩ、ｙＩＩがない場合には、ｘＩＩ、ｙＩＩに最も近いｘ、ｙ座標の補正値ｋ（ｘ、ｙ）を用いればよい。また、線形補間などにより、ｘＩＩ、ｙＩＩに対応する補正値ｋ（ｘＩＩ、ｙＩＩ）を算出してもよい。
同様に、図５（ｂ）のルックアップテーブルに入射角θＩＩがない場合には、θＩＩに最も近いθの補正値ｍ（θ）を用いればよい。また、線形補間などにより、θＩＩに対応する補正値ｍ（θＩＩ）を算出してもよい。
そして、受光器３５の出力信号（信号電圧）に、補正値ｋ（ｘＩＩ、ｙＩＩ）及び補正値ｍ（θＩＩ）を掛けることで、補正された出力信号（信号電圧）が得られる。
【００５５】
このようにすることで、受光器３５への入射状態に対応した補正がなされることにより、被計測者の眼房水に関する計測の精度が向上する。
【００５６】
図６は、入射状態測定系２３の変形例を説明する図である。図６（ａ）は、図１、図４（ａ）、（ｂ）で説明した第１の実施の形態が適用される入射状態測定系２３、図６（ｂ）は、変形例、図６（ｃ）は、他の変形例である。ここでは、眼球１０及び受光器３５の記載を省略している。そして、想定された光路を進む光ビーム２８Ｉと外れた光路を進む光ビーム２８ＩＩとに分けないで説明するので、光ビーム２８と表記する。以下においても、光ビーム２８が通る光路毎に符号（−０、−１など）を付して説明する。また、同じ機能を有する部材には、同じ番号を付している。
【００５７】
図６（ｂ）の変形例では、入射状態測定系２３は、ビームスプリッタ４１、４３と受光器５３、５４とを備える。受光器５３、５４は、それぞれが例えばＣＣＤ、ＣＭＯＳなどの撮像素子であって、二次元に配列された複数の受光セル（画素）から構成された受光面５３ａ、５４ａを有する。ビームスプリッタ及び受光器の数は、図６（ａ）の第１の実施の形態が適用される入射状態測定系２３と同じであるが、光路が異なる。
眼球１０の角膜１４のＡ点（図４（ａ）、（ｂ）参照）から出射した光ビーム２８−０は、ビームスプリッタ４１により、ビームスプリッタ４１の反射面で反射された光ビーム２８−１とこの反射面を通過した光ビーム２８−２とに分割される。
光ビーム２８−１は、受光器５３における受光面５３ａに入射する。
【００５８】
光ビーム２８−２は、ビームスプリッタ４３により、ビームスプリッタ４３の反射面で反射された光ビーム２８−２１とこの反射面を通過した光ビーム２８−２２とに分割される。
光ビーム２８−２１は、受光器５４における受光面５４ａに入射する。
光ビーム２８−２２は、不図示の受光器３５における   受光面３５ａに入射する。
【００５９】
このようにしても、Ａ点から受光器３５、受光器５３及び受光器５４までのそれぞれの距離を異ならせれば、図４（ｃ）に記載した状態となる。よって、受光器３５の受光面３５ａへの入射状態（入射位置、入射角）が測定される。
【００６０】
なお、この変形例では、眼球１０の角膜１４のＡ点から、受光器３５までの光路（図４（ａ）、（ｂ）参照）に、二つのビームスプリッタ４１、４３が配置されるため、受光器３５に到達する光量が、第１の実施の形態が適用される入射状態測定系２３に比べて減少する。
なお、受光面５３ａが第２の受光面の他の一例であり、受光面５４ａが第３の受光面の他の一例である。
【００６１】
図６（ｃ）の他の変形例では、入射状態測定系２３は、ビームスプリッタ４２、ミラー４４、受光器５１、５５を備える。受光器５１、５５は、それぞれが例えばＣＣＤ、ＣＭＯＳなどの撮像素子であって、二次元に配列された複数の受光セル（画素）から構成された受光面５１ａ、５５ａを有する。そして、ミラー４４は、退避可能に構成されていて、受光器３５への入射状態（入射位置、入射角）の測定を行わない場合には、光路上から退避（移動）する。
【００６２】
入射状態測定系２３を用いる場合の光路を説明する。
眼球１０の角膜１４のＡ点（図４（ａ）、（ｂ）参照）から出射した光ビーム２８−０は、ミラー４４により反射されて、光ビーム２８−３になる。光ビーム２８−３は、ビームスプリッタ４２により、ビームスプリッタ４２の反射面で反射された光ビーム２８−３１とこの反射面を通過した光ビーム２８−３２とに分割される。
光ビーム２８−３１は、受光器５１の受光面５１ａに入射する。
光ビーム２８−３２は、受光器５５の受光面５５ａに入射する。
【００６３】
このようにしても、Ａ点から受光器３５、受光器５２及び受光器５５までのそれぞれの距離が異なれば、図４（ｃ）に記載した状態となる。よって、受光器３５への入射状態（入射位置、入射角）が測定される。
なお、受光面５５ａが第３の受光面の他の一例である。
【００６４】
図６（ｃ）の他の変形例では、ミラー４４が、受光器３５への入射状態（入射位置、入射角）の測定を行わない場合には、光路上から退避する。これにより、眼球１０を光計測する時には、受光器３５を備える受光系２２には、眼球１０の角膜１４から出射した光が入射状態測定系２３のビームスプリッタ（図６（ａ）、に示したビームスプリッタ４１）などを通過することなく、入射する。よって、ビームスプリッタを挿入したことによる光量の低下や偏光状態の変化が抑制される。
なお、ミラー４４の退避は、光路に交差する方向に移動（シフト）させるように構成してもよく、撥ね退けるように構成してもよい。
そして、他の変形例では、ミラー４４を光路上から退避するとしたが、入射状態測定系２３を光路上から退避させてもよい。
【００６５】
以上においては、受光器３５は、受光した光ビームの強度に対応した出力信号（電圧信号）を出力するシリコンダイオードなどの受光素子（フォトディテクタ）とした。このため、入射位置を測定（検出）する機能を有しないとした。
一方、受光器５１、５２、５３、５４、５５は、それぞれが例えばＣＣＤ、ＣＭＯＳなどの撮像素子であって、二次元に配列された複数の受光セル（画素）の受光面５１ａ、５２ａ、５３ａ、５４ａ、５５ａを有し、入射位置が受光セル（画素）の位置により検出されるとした。
しかし、受光器３５を、例えばＣＣＤ、ＣＭＯＳなどの撮像素子であって、二次元に配列された複数の受光セル（画素）の受光面３５ａを有するとすれば、入射位置（図４（ａ）の（ｘＩＩ、ｙＩＩ））が受光セル（画素）の位置により検出される。
よって、図６（ａ）（図４（ａ）、（ｂ）も同様）において、ビームスプリッタ４２及び受光器５１を用いることを要しない。同様に、図６（ｂ）において、ビームスプリッタ４１及び受光器５３（又は、ビームスプリッタ４３及び受光器５４）を用いることを要しない。さらに、図６（ｃ）において、ビームスプリッタ４２及び受光器５１を用いることを要しない。
【００６６】
また、以上においては、受光器３５の受光面３５ａへの入射状態として、入射位置（ｘ、ｙ）と入射角θとを測定し、それぞれに対して補正するとした。しかし、入射角θの範囲が狭く、その範囲において補正値ｍ（θ）の差が小さいなどの場合には、入射角θに対する補正を要しない。すなわち、入射状態は、入射位置のみとなる。
図７は、入射位置（ｘ、ｙ）を測定する入射状態測定系２３を説明する図である。図７（ａ）は、ビームスプリッタ４１を用いた入射状態測定系２３、図７（ｂ）は、ミラー４４を用いた入射状態測定系２３である。ここでは、眼球１０及び受光器３５の記載を省略している。そして、想定された光路を進む光ビーム２８Ｉと外れた光路を進む光ビーム２８ＩＩとに分けないので、光ビーム２８と表記する。以下においても、光ビーム２８が通る光路毎に符号（−０、−１など）を付して説明する。また、同じ機能を有する部材には、同じ番号を付している。
ここでは、受光器３５は、入射位置を検出（測定）する機能を有しない受光面３５ａのシリコンダイオードなどの受光素子（フォトディテクタ）であるとする。
【００６７】
図７（ａ）に示すビームスプリッタ４１を用いた入射状態測定系２３は、ビームスプリッタ４１及び検出器５６を備える。
眼球１０の角膜１４におけるＡ点（図４（ａ）、（ｂ）参照）から出射した光ビーム２８−０は、ビームスプリッタ４１により、ビームスプリッタ４１の反射面で反射された光ビーム２８−１とこの反射面を通過した光ビーム２８−２とに分割される。
光ビーム２８−１は、受光器５６の受光面５６ａに入射する。
光ビーム２８−２は、不図示の受光器３５の受光面３５ａに入射する。
【００６８】
ここで、光ビーム２８−１の光路長と光ビーム２８−２の光路長とが等しければ、受光面５６ａへの光ビーム２８−１の入射位置が、受光器３５への光ビーム２８−２の入射位置になる。なお、光ビーム２８−１の光路長とは、ビームスプリッタ４１における光ビーム２８−０（光ビーム２８−１と光ビーム２８−２とへの）分岐点から受光面５６ａまでの距離である。また、光ビーム２８−２の光路長とは、ビームスプリッタ４１における光ビーム２８−０（光ビーム２８−１と光ビーム２８−２とへの）分岐点から受光面３５ａまでの距離である。
【００６９】
図７（ｂ）に示すミラー４４を用いた入射状態測定系２３は、ミラー４４及び検出器５６を備える。そして、ミラー４４は、退避可能に構成されていて、受光器３５への入射状態（入射位置）の測定を行わない場合には、光路上から退避させる。退避は、光路に交差する方向に移動（シフト）させるように構成してもよく、撥ね退けるように構成してもよい。
入射状態測定系２３を用いる場合の光路を説明する。
眼球１０の角膜１４のＡ点（図４（ａ）、（ｂ）参照）から出射した光ビーム２８−０は、ミラー４４により反射されて、光ビーム２８−３になる。
光ビーム２８−３は、受光器５６の受光面５６ａに入射する。
なお、ミラー４４を退避させた場合、光ビーム２８−０は、受光器３５の受光面３５ａに入射する。
そして、図７（ａ）、（ｂ）に示したように受光器３５の受光面３５ａへの入射位置（ｘ、ｙ）を補正する場合、図５（ａ）に示した補正値ｋ（ｘ、ｙ）を用いればよい。
【００７０】
なお、眼球１０の角膜１４のＡ点（図４（ａ）、（ｂ）参照）が既知であれば、図７（ａ）、（ｂ）に示す構成により、受光器３５の受光面３５ａへの入射角θも測定される。この場合、光ビーム２８−１の光路長と光ビーム２８−２の光路長とを等しくすることを要しない。
ここで、受光器５６の受光面５６ａは、第２の受光面の他の一例である。
【００７１】
［第２の実施の形態］
第１の実施の形態では、入射状態測定系２３によって測定した入射状態（入射位置、入射角）に対して、ルックアップテーブルを用いて、計測データを補正した。
第２の実施の形態では、入射状態測定系２３によって測定した入射状態（入射位置、入射角）に基づいて、受光器３５の予め定められた入射位置に予め定められた入射角で入射するように、光路を補正する。
【００７２】
図８は、第２の実施の形態が適用される眼球の光計測装置１を説明する図である。ここでは、第１の実施の形態が適用される眼球の光計測装置１との違いを説明するため、眼球１０の光計測装置１の光学系２０（図１参照）において、光照射系２１（図１参照）のミラー２９、入射状態測定系２３、受光系２２（図１参照）の受光器３５を示している。他の構成は、図１に示した第１の実施の形態と同様である。
【００７３】
ここでは、光学系２０を設定した際に想定した光路（予め定められた光路）を通過する光ビーム２８Ｉと、想定した光路から外れた光路を通過する光ビーム２８ＩＩとを示している。なお、光ビーム２８Ｉの受光器３５への入射位置（ｘ、ｙ）は座標（ｘＩ（０）、ｙＩ（０））、入射角θがθＩ（０）である。
【００７４】
ここで、光ビーム２８が光ビーム２８ＩＩであったとする。すると、入射状態測定系２３は、受光器３５上の入射位置（ｘ、ｙ）が座標（ｘＩＩ、ｙＩＩ）、入射角が入射角θＩＩと計測する。
すると、制御部６０における補正ユニット６１は、ミラー２９の光ビーム２８ＩＩに対する角度（入射角）、及び、受光器３５における受光面３５ａの光ビーム２８ＩＩに対する入射位置と入射角とを調整して、光ビーム２８ＩＩが光ビーム２８Ｉの状態になるようする。すなわち、光ビーム２８ＩＩの受光器３５の受光面３５ａへの入射位置（ｘ、ｙ）を座標（ｘＩＩ（０）、ｙＩＩ（０））、入射角θをθＩＩ（０）とする。
【００７５】
なお、ミラー２９は、例えばＭＥＭＳ（Micro Electro Mechanical Systems）などで構成され、反射面が可動することで光ビーム２８に対する入射角が変更できるものがよい。
また、受光器３５は、ｘｙ方向に移動可能で、且つ、ｘｙ方向の傾斜角ηが可変な４軸ステージに搭載されていることがよい。例えば、入射位置（ｘ、ｙ）に基づいて、ｘｙ方向の位置を設定し、入射角θに基づいて、ステージのｘ方向の傾斜角ηｘとｙ方向の傾斜角ηｙとを設定すればよい。
このようにすることで、出力信号（信号電圧）は、受光器３５の受光面３５ａにおける受光感度のｘｙ面内における分布や、入射角θの影響を受けない。
【００７６】
なお、第２の実施の形態に、第１の実施の形態で説明した変形例などを適用してもよい。また、第２の実施の形態において、第１の実施の形態で説明した入射角度を測定しないようにしてもよい。
【００７７】
さらに、第１の実施の形態及び第２の実施の形態における眼球の光計測装置１では、眼球１０の角膜１４を介して前眼房１３の眼房水に光を通過させて、眼房水に含まれる光学活性物質であるグルコースの濃度を算出するとした。
この眼球の光計測装置１は、眼房水に含まれる他の光学活性物質の濃度の算出に適用しうる。さらに、眼房水に含まれる複数の光学活性物質の濃度を分離して算出しうる。
【００７８】
また、眼球の光計測装置１は、複屈折性や旋光性などの光学特性が異なる複数の部材に光を通過させて、含まれる光学活性物質の濃度を算出する場合にも適用しうる。
【００７９】
本開示は上記の実施の形態に何ら限定されるものではなく、本開示の要旨を逸脱しない範囲で種々の形態で実施することができる。
【符号の説明】
【００８０】
１…眼球の光計測装置、１０…眼球、１１…ガラス体、１２…水晶体、１３…前眼房、１４…角膜、１５…瞳孔、１６…網膜、２０…光学系、２１…光照射系、２２…受光系、２３…入射状態測定系、２５…光源、２７…偏光子、２８…光ビーム、３１…補償子、３３…検光子、３５…受光器、４１、４２、４３…ビームスプリッタ、４４…ミラー、５１、５２、５３、５４、５５…受光器、６０…制御部、６１…補正ユニット、７０…算出部、αＭ…旋光度、θ…入射角、λ…波長
【図１】
2018068838.tif 000003
【図２】
2018068838.tif 000004
【図３】
2018068838.tif 000005
【図４】
2018068838.tif 000006
【図５】
2018068838.tif 000007
【図６】
2018068838.tif 000008
【図７】
2018068838.tif 000009
【図８】
2018068838.tif 000010